(57)【要約】【課題】  電子の場合、Ｅ＝ｍｃ２のエネルギーは電子のラブの公転軌道に引き付けられている電気の光子と磁気の光子のエネルギーである。陽子の場合、Ｅ＝ｍｃ２のエネルギーは陽子のラブの公転軌道に引き付けられている電気の光子と磁気の光子のエネルギーである。もし、電子のラブと陽子のラブの公転軌道が急に大きくなったら、以前（小さな）公転軌道に引き付けられていた磁気の光子と電気の光子は、ラブが無くなり、引き付けるものが無くなるので、放出する。電子のラブや陽子のラブの公転軌道は存在する場のエネルギーにより拡大したり、収縮したりするのだろうか。【解決手段】  これを、マグマから考える。コロナの温度はどのようにしてできるのか。鉄の溶鉱炉はどのようになっているのか。電子と陽子を急に、非常に低温の場に放つとき、電子のラブと陽子のラブの公転軌道は、存在する場のエネルギーにより拡大する。【選択図】図６
2008228553.tif 000002
【特許請求の範囲】
【請求項１】
高エネルギーを得る方法の原理。
電子の場合、Ｅ＝ｍｃ２のエネルギーは電子のラブの公転軌道に引き付けられている電気の光子と磁気の光子のエネルギーである。陽子の場合、Ｅ＝ｍｃ２のエネルギーは陽子のラブの公転軌道に引き付けられている電気の光子と磁気の光子のエネルギーである。
陽子の場合。
陽子をエネルギーの小さな場に放ると陽子のラブの公転軌道は大きくなる、その時、以前陽子のラブの公転軌道に引き付けられていた電気の光子と磁気の光子は、陽子のラブが無くなり、引くものが無くなったので、放出する。この放出した電気の光子と磁気の光子を得る。
陽子をエネルギーの大きな場に放ると陽子のラブの公転軌道は小さくなる、その時、以前陽子のラブの公転軌道に引き付けられていた電気の光子と磁気の光子は、陽子のラブが無くなり、引くものが無くなったので、放出する。この放出した電気の光子と磁気の光子を得る。
電子の場合。
電子をエネルギーの小さな場に放ると電子のラブの公転軌道は大きくなる、その時、以前電子のラブの公転軌道に引き付けられていた電気の光子と磁気の光子は、電子のラブが無くなり、引くものが無くなったので、放出する。この放出した電気の光子と磁気の光子を得る。
電子をエネルギーの大きな場に放ると電子のラブの公転軌道は小さくなる、その時、以前電子のラブの公転軌道に引き付けられていた電気の光子と磁気の光子は、電子のラブが無くなり、引くものが無くなったので、放出する。この放出した電気の光子と磁気の光子を得る。
この場合、公転軌道が離れている事が必要条件です。
瞬時に放つ事が条件です。
【請求項２】
高エネルギーを得る方法。電子や陽子を低エネルギーの場に放つ方法。
電子や陽子を低エネルギーの場に置くと、電子のラブや陽子のラブの公転軌道が大きくなる。この事によって、以前電子のラブや陽子のラブの公転軌道に引き付けられていた電気の光子や磁気の光子は、電子のラブや陽子のラブが無くなり、引くものが無くなるので、放出する。
電子や陽子を低エネルギーの場に置くと、電子のラブや陽子のラブの公転軌道が大きくなる。この事によって、以前電子のラブや陽子のラブの公転軌道に近い公転軌道を公転していた電気の光子や磁気の光子は、電子のラブが無くなり、引くものが無くなるので、放出する。
この方法では、低エネルギーの場の公転軌道と地上の公転軌道の差が大きい事が必要条件です。
・陽子のラブの場合。
例えば、陽子のラブの公転軌道が５×１０−１４ｍの場は１℃の場であるとすると、−１００℃の場では、陽子のラブの公転軌道は５×１０−１３ｍになる。このとき、以前陽子のラブが公転していた５×１０−１４ｍの公転軌道に引き付けられていた電気の光子や磁気の光子は放出する。５×１０−１４ｍから５×１０−１３ｍの間を回転していた電気の光子や磁気の光子は放出する。
・電子のラブの場合。
例えば、電子のラブの公転軌道が１０−１０ｍの場は１℃の場であるとすると、−１００℃の場では、電子のラブの公転軌道は１０−９ｍになる。このとき、以前電子のラブが公転していた１０−１０ｍの公転軌道に引き付けられていた電気の光子や磁気の光子は放出する。１０−１０ｍから１０−９ｍの間を回転していた電気の光子や磁気の光子は放出する。
【請求項３】
高エネルギーを得る方法。電子や陽子を高エネルギーの場に放つ方法。
電子や陽子を高エネルギーの場に置くと、電子のラブや陽子のラブの公転軌道が小さくなる。この事によって、以前電子のラブや陽子のラブの公転軌道に引き付けられていた電気の光子や磁気の光子は、電子のラブや陽子のラブが無くなり、引くものが無くなるので、放出する。
電子や陽子を高エネルギーの場に置くと、電子のラブや陽子のラブの公転軌道が小さくなる。この事によって、以前電子のラブや陽子のラブの公転軌道に近い公転軌道を回転していた電気の光子や磁気の光子は、電子のラブや陽子のラブが無くなり、引くものが無くなるので、放出する。
この方法では、高エネルギーの場の公転軌道と地上の公転軌道の差が大きい事が必要条件です。
・陽子のラブの場合。
例えば、陽子のラブの公転軌道が５×１０−１４ｍの場は１℃の場であるとすると、１０００℃の場では、陽子のラブの公転軌道は、５×１０−１４ｍ÷１０００１／２＝５×１０−１４ｍ÷３１．６２３＝１．５８１×１０−１５ｍになる。
このとき、以前陽子のラブが公転していた５×１０−１４ｍの公転軌道に引き付けられていた電気の光子や磁気の光子は、陽子のラブが無くなり、引くものが無くなるので、放出する。
・電子のラブの場合。
例えば、電子のラブの公転軌道が１０−１０ｍの場は１℃の場であるとすると、１０００℃の場では、電子のラブの公転軌道は、１０−１０ｍ÷１０００１／２＝１０−１０ｍ÷３１．６２３＝３．１６２×１０−１２ｍになる。
このとき、以前電子のラブが公転していた１０−１０ｍの公転軌道に引き付けられていた電気の光子や磁気の光子は、電子のラブが無くなり、引くものが無くなるので、放出する。
【請求項４】
場のエネルギーが変わると、電子のラブや陽子のラブのエネルギーは変わるのか変わらないのか。マグマの場合はどうであるか。
地下からマグマが噴出します。そのマグマは光や熱を放出し、しばらくすると岩石に成ります。
これは、マグマの電子のラブと陽子のラブのエネルギーが光や熱を放出し、地上の電子のラブと陽子のラブのエネルギーと同じになるからです。
電子のラブや陽子のラブのエネルギーは、場のエネルギーによって変化するということです。
この現象を電子のラブの軌道とエネルギーと温度により確認します。
マグマの温度を、鉄が溶け岩石が溶けている温度とします。
鉄の融点は１５３６℃です。珪素の融点は１４１２℃です。
マグマの温度を１６００℃とします。
・陽子のラブの場合。
マグマの陽子のラブの公転軌道は、
５．７６４×１０−１４ｍ÷１６００１／２＝５．７６４×１０−１４ｍ÷４０＝１．４４１×１０−１５ｍです。
マグマの陽子のラブのエネルギーは、
８．６６５×１０−２４Ｊｍ÷（１．４４１×１０−１５ｍ）＝６．０１３×１０−９Ｊです。
マグマの陽子のラブが地上に出て、軌道は、５．７６４×１０−１４ｍに成ります。４０倍に拡大します。
陽子のラブエネルギーは、
８．６６５×１０−２４Ｊｍ÷（５．７６４×１０−１４ｍ）＝１．５０３×１０−１０Ｊに成ります。４０分の１に成ります。
このとき、以前マグマにおいて、陽子のラブが公転していた、１．４４１×１０−１５ｍの公転軌道に引き付けられていた電気の光子や磁気の光子は放出する。１．４４１×１０−１５ｍから５．７６４×１０−１４ｍの間を回転していた電気の光子や磁気の光子は放出する。
この時、光や熱を放出します。
陽子のラブは、低エネルギーの場に放り出ると、光や熱を放出し、自分のエネルギーを低エネルギーにする。
・電子のラブの場合。
マグマの電子のラブの公転軌道は、
１．０５８×１０−１０ｍ÷１６００１／２＝１．０５８×１０−１０ｍ÷４０＝２．６４５×１０−１２ｍです。
マグマの電子のラブのエネルギーは、
８．６６５×１０−２４Ｊｍ÷（２．６４５×１０−１２ｍ）＝３．２７６×１０−１２Ｊです。
マグマの電子のラブが地上に出て、軌道は、１．０５８×１０−１０ｍに成ります。４０倍に拡大します。
エネルギーは、
８．６６５×１０−２４Ｊｍ÷（１．０５８×１０−１０ｍ）＝８．１９×１０−１４Ｊに成ります。４０分の１に成ります。
このとき、以前マグマにおいて、電子のラブが公転していた、２．６４５×１０−１２ｍの公転軌道に引き付けられていた電気の光子や磁気の光子は放出する。２．６４５×１０−１２ｍから１．０５８×１０−１０ｍの間を回転していた電気の光子や磁気の光子は放出する。
この時、光や熱を放出します。
電子のラブは、低エネルギーの場にほうり出ると、光や熱を放出し、自分のエネルギーを低エネルギーにする。
○この事によって、原子の電子のラブと陽子のラブのエネルギーは、存在する場のエネルギーにより変化する事が理解できる。
低エネルギーの場では、電子のラブや陽子のラブも低エネルギーになる。
○この事によって、原子の電子のラブと陽子のラブの軌道は、存在する場のエネルギーにより変化する事が理解できる。
低エネルギーの場では、電子のラブや陽子のラブの軌道は大きくなる。
・放出する温度について。
マグマの電子のラブの場合。
２．６４５×１０−１２ｍの電子のラブの公転軌道に引き付けられている電気の光子と磁気の光子は放出する。
放出した電気の光子でできる温度は、
｛１．０５８×１０−１０ｍ÷（２．６４５×１０−１２ｍ）｝２＝４０２＝１６００（℃）です。
マグマの陽子のラブの場合。
１．４４１×１０−１５ｍの陽子のラブの公転軌道に引き付けられていた電気の光子と磁気の光子は放出する。
放出した電気の光子でできる温度は、
｛５．７６４×１０−１４ｍ÷（１．４４１×１０−１５ｍ）｝２＝４０２＝１６００（℃）です。
【請求項５】
地上の陽子のラブと電子のラブを−２７３℃の空間に放り出す場合はどのようであるか。
・陽子のラブの場合。
地上で、５．７６４×１０−１４ｍの公転軌道を公転している陽子のラブを、絶対０度である−２７３℃の空間に放り出すと、周囲のエネルギーは−２７３℃になるので、陽子のラブの公転軌道は、
５．７６４×１０−１４ｍ×２７３１／２＝５．７６４×１０−１４ｍ×１６．５２３＝９．５２４×１０−１３ｍになる。
この事によって、５．７６４×１０−１４ｍから９．５２４×１０−１３ｍの陽子のラブの公転軌道の周囲を回転していた電気の光子と磁気の光子は放出する。ガンマ線は放出する。
５．７６４×１０−１４ｍの陽子のラブの公転軌道に引き付けられていた電気の光子と磁気の光子は放出する。
放出した電気の光子でできる温度は、
｛５．７６４×１０−１４ｍ÷（５．７６４×１０−１４ｍ）｝２＝１（℃）です。
・電子のラブの場合。
地上で、１．０５８×１０−１０ｍの公転軌道を公転している電子のラブを、絶対０度である−２７３℃の空間に放り出すと、周囲のエネルギーは−２７３℃になるので、電子のラブの公転軌道は、
１．０５８×１０−１０ｍ×２７３１／２＝１．０５８×１０−１０ｍ×１６．５２３＝１．７４８×１０−９ｍになる。
この事によって、１．０５８×１０−１０ｍから１．７４８×１０−９ｍの電子のラブの公転軌道の周囲を回転していた電気の光子と磁気の光子は放出する。特性Ｘ線は放出する。
１．０５８×１０−１０ｍの電子のラブの公転軌道に引き付けられていた電気の光子と磁気の光子は放出する。
放出した電気の光子でできる温度は、
｛１．０５８×１０−１０ｍ÷（１．０５８×１０−１０ｍ）｝２＝１（℃）です。
【請求項６】
オーロラの場合はどのようであるか。
太陽の外側の温度は約６０００℃です。
・陽子のラブの場合。
太陽の外側の場の陽子のラブの公転軌道は、
５．７６４×１０−１４ｍ÷６０００１／２＝５．７６４×１０−１４ｍ÷（７．７４６×１０２）＝７．４４×１０−１７ｍです。
この陽子のラブが地球の南極や北極から入ってくると、陽子のラブの公転軌道は、７．４４×１０−１７ｍから５．７６４×１０−１４ｍになり、陽子のラブの周囲を回転していた７．４４×１０−１７ｍから５．７６４×１０−１４ｍの電気の光子と磁気の光子は放出する。
７．４４×１０−１７ｍの陽子のラブの公転軌道に引き付けられていた電気の光子と磁気の光子は放出する。
放出した電気の光子でできる温度は、
｛５．７６４×１０−１４ｍ÷（７．４４×１０−１７ｍ）｝２＝６０００（℃）です。
これらの光子のエネルギーが減少し、オーロラとなって認識される。
・電子のラブの場合。
太陽の外側の電子のラブの公転軌道は、
１．０５８×１０−１０ｍ÷６０００１／２＝１．０５８×１０−１０ｍ÷（７．７４６×１０２）＝１．３６６×１０−１３ｍです。
この電子のラブが地球の南極や北極から入ってくると、電子のラブの公転軌道は、１．３６６×１０−１３ｍから１．０５８×１０−１０ｍになり、電子のラブの周囲を公転していた１．３６６×１０−１３ｍから１．０５８×１０−１０ｍの電気の光子と磁気の光子は放出する。
１．３６６×１０−１３ｍの電子のラブの公転軌道に引き付けられていた電気の光子と磁気の光子は放出する。
放出した電気の光子でできる温度は、
｛１．０５８×１０−１０ｍ÷（１．３６６×１０−１３ｍ）｝２＝６０００（℃）です。
これらの光子のエネルギーが減少し、オーロラとなって認識される。
【請求項７】
コロナの場合はどのようであるか。
・陽子のラブの場合。
太陽の外側の陽子が−２７３℃の空間にでると、陽子のラブの公転軌道は、７．４４×１０−１７ｍから９．５２４×１０−１３ｍになる。
このとき、陽子のラブの公転軌道の周囲を回転していた、７．４４×１０−１７ｍから９．５２４×１０−１３ｍの電気の光子と磁気の光子は放出する。これがコロナです。
７．４４×１０−１７ｍの陽子のラブの公転軌道に引き付けられていた電気の光子と磁気の光子は放出する。
放出した電気の光子でできる温度は、
｛５．７６４×１０−１４ｍ÷（７．４４×１０−１７ｍ）｝２＝（７．７４７×１０２）２＝６×１０５℃です。
・電子のラブの場合。
太陽の外側の電子が−２７３℃の空間にでると、電子のラブの公転軌道は、１．３６６×１０−１３ｍから１．７４８×１０−９ｍになる。
このとき、電子のラブの公転軌道の周囲を回転していた、１．３６６×１０−１３ｍから１．７４８×１０−９ｍの電気の光子と磁気の光子は放出する。これがコロナです。
１．３６６×１０−１３ｍの電子のラブの公転軌道に引き付けられていた電気の光子と磁気の光子は放出する。
放出した電気の光子でできる温度は、
｛１．０５８×１０−１０ｍ÷（１．３６６×１０−１３ｍ）｝２＝（７．７４５×１０２）２＝５．９９９×１０５℃です。
【請求項８】
流星の場合はどのようであるか。
流星はどうして尾をひいて走るのか。流星の尾は何か。
隕石は流星が大気中で燃えきらずに、地上に落ちた物です。
流星は石です。石の電子のラブと陽子のラブは回転し、電気の光子と磁気の光子を作ります。この電気の光子と磁気の光子が流星の尾に成ります。この電気の光子と磁気の光子が可視光として目に届きます。
・電子のラブの場合。
石の電子のラブの公転軌道は約１０−１０ｍです。石の外側で、−２７３℃の場に接する部分は、公転軌道を拡大し、エネルギーを減少させます。
−２７３℃の場で、電子のラブの公転軌道は、
１．０５８×１０−１０ｍ×２７３１／２＝１．０５８×１０−１０ｍ×１６．５２３＝１．７４８×１０−９ｍに成ります。
秒速は、１．７４８×１０−９ｍ×３．１４×６．３３６×１０１５公転＝３．４７８×１０７ｍになり、直進します。
−２７３℃の場では、流星の石の外側の部分の電子のラブは、公転軌道が１．７４８×１０−９ｍに成り、秒速は３．４７８×１０７ｍになり、走り出す。
このとき、電子のラブの公転軌道の周囲を回転していた、１０−１０ｍから１．７４８×１０−９ｍの電気の光子と磁気の光子は放出する。これが流星の尾に成ります。
・陽子のラブの場合。
陽子のラブの公転軌道は、
５．７６４×１０−１４ｍ×１６．５２３＝９．５２４×１０−１３ｍになります。
秒速は、９．５２４×１０−１３ｍ×３．１４×４．３４×７．９６×１０７公転＝１．０３３×１０ｍです。
それで、陽子のラブはそのままそこに残る。
このとき、陽子のラブの公転軌道の周囲を回転していた、５．７６４×１０−１４ｍから９．５２４×１０−１３ｍの電気の光子と磁気の光子は放出する。これが流星の尾に成ります。
【請求項９】
溶鉱炉の鉄の場合はどのようであるか。
鉄の溶鉱炉の温度を１６００℃とする。
・陽子のラブの場合。
１６００℃の場で、鉄の陽子のラブの軌道は、５．７６４×１０−１４ｍ÷１６００１／２＝１．４４１×１０−１５ｍです。
鉄を溶鉱炉に入れると、鉄の陽子のラブの公転軌道は、５．７６４×１０−１４ｍから、１．４４１×１０−１５ｍに成り、５．７６４×１０−１４ｍの陽子のラブの公転軌道に引き付けられていた電気の光子と磁気の光子は放出する。
・電子のラブの場合。
１６００℃の場で、鉄の電子のラブの軌道は、１．０５８×１０−１０ｍ÷１６００１／２＝２．６４５×１０−１２ｍです。
鉄を溶鉱炉に入れると、鉄の電子のラブの公転軌道は、１．０５８×１０−１０ｍから、２．６４５×１０−１２ｍに成り、１．０５８×１０−１０ｍの電子のラブの公転軌道に引き付けられていた電気の光子と磁気の光子は放出する。
地球の中でできるニュートリノはこれかもしれない。
【請求項１０】
地球ニュートリノはどのようにしてできるか。
地球の中央は、６５００Ｋｍで、温度は、７３２７℃です。
この場の電子のラブの公転軌道は、１．０５８×１０−１０ｍ÷６５００１／２＝１．０５８×１０−１０ｍ÷８５．６＝１．２３６×１０−１２ｍです。
地球の深さ、６０００Ｋｍで、温度は、６０００℃です。
この場の電子のラブの軌道は、１．０５８×１０−１０ｍ÷６０００１／２＝１．０５８×１０−１０ｍ÷７７．４６＝１．３６６×１０−１２ｍです。
地球の深さ、６５００Ｋｍで、ニュートリノができるとすると、１．３６６×１０−１２ｍの電子のラブの公転軌道に引き付けられていた電気の光子と磁気の光子は放出する。
地球の深さ、５０００Ｋｍで、温度は、５０００℃です。
この場の電子のラブの軌道は、１．０５８×１０−１０ｍ÷５０００１／２＝１．０５８×１０−１０ｍ÷７０．７１＝１．４９６×１０−１２ｍです。
地球の深さ、６０００Ｋｍで、ニュートリノができるとすると、１．４９６×１０−１２ｍの電子のラブの公転軌道に引き付けられていた電気の光子と磁気の光子は放出する。
しかし、
○電子のラブの公転軌道が、１．２３６×１０−１２ｍと１．３６６×１０−１２ｍと１．４９６×１０−１２ｍでは、軌道の大きさが同じ位なので、電子のラブの公転軌道に引き付けられていた電気の光子と磁気の光子は放出しない。
○公転軌道が離れている場合、ラブの公転軌道に引き付けられていた電気の光子と磁気の光子は放出する。
○ラブの公転軌道に引き付けられていた電気の光子と磁気の光子が放出するための必要条件は、電子のラブや陽子のラブを放つ場の公転軌道の差が大きいことです。
それで、地球のニュートリノは、鉄が融解する場でできたと考えられる。
【請求項１１】
Ｅ＝ｍｃ２の高エネルギーを得るためにはどのようにしたら良いか。
高エネルギー加速器で、陽子を加速し、鉄板にぶつけると、Ｅ＝ｍｃ２の高エネルギーを放出する。この高エネルギーは、陽子のラブの公転軌道に引き付けられている電気の光子と磁気の光子のエネルギーです。この光子のエネルギーを得るためにはどのようにしたら良いか。
▲１▼陽子のラブの公転軌道を拡大したら良い。
陽子のラブの公転軌道を拡大する方法はどのようにするか。
陽子のラブを低エネルギーの場に放り出す。そうすると、陽子のラブの公転軌道は拡大する。それで、以前の公転軌道に引き付けられていた電気の光子と磁気の光子は放出する。
・陽子のラブの場合。
地上の陽子のラブの公転軌道を５．７６４×１０−１４ｍとし、温度を１℃とします。
例えば、地上の陽子を、−２００℃の場に放り出すと、陽子のラブの公転軌道は、
５．７６４×１０−１４ｍ×２００１／２＝５．７６４×１０−１４ｍ×１４．１４２＝８．１５１×１０−１３ｍに成ります。
このとき、陽子のラブの公転軌道の周囲を回転していた、５．７６４×１０−１４ｍから８．１５１×１０−１３ｍの電気の光子と磁気の光子は放出する。
５．７６４×１０−１４ｍの陽子のラブの公転軌道に引き付けられていた電気の光子と磁気の光子は放出する。
・電子のラブの場合。
地上の電子のラブの公転軌道を１．０５８×１０−１０ｍとし、温度を１℃とします。
例えば、地上の電子を、−２００℃の場に放り出すと、電子のラブの公転軌道は、
１．０５８×１０−１０ｍ×２００１／２＝１．０５８×１０−１０ｍ×１４．１４２＝１．４９６×１０−９ｍに成ります。
このとき、電子のラブの公転軌道の周囲を回転していた、１．０５８×１０−１０ｍから１．４９６×１０−９ｍの電気の光子と磁気の光子は放出する。
１．０５８×１０−１０ｍの公転軌道に引き付けられていた電気の光子と磁気の光子は放出する。
▲２▼陽子のラブの公転軌道を縮小したら良い。
陽子のラブの公転軌道を縮小する方法はどのようにするか。
陽子のラブを高エネルギーの場に放り出す。そうすると、陽子のラブの公転軌道は縮小する。それで、以前の公転軌道に引き付けられていた電気の光子と磁気の光子は放出する。
・陽子のラブの場合。
地上の陽子のラブの公転軌道を５．７６４×１０−１４ｍとし、温度を１℃とします。
例えば、地上の陽子を、１０００℃の場に放り出すと、陽子のラブの公転軌道は、
５．７６４×１０−１４ｍ÷１０００１／２＝５．７６４×１０−１４ｍ÷３１．６２３＝１．８２３×１０−１５ｍに成ります。
それで、以前５．７６４×１０−１４ｍの陽子のラブの公転軌道に引き付けられていた電気の光子と磁気の光子は放出する。
・電子のラブの場合。
地上の電子のラブの公転軌道を１．０５８×１０−１０ｍとし、温度を１℃とします。
例えば、地上の電子を、１０００℃の場に放り出すと、電子のラブの公転軌道は、
１．０５８×１０−１０ｍ÷１０００１／２＝１．０５８×１０−１０ｍ÷３１．６２３＝３．３４６×１０−１２ｍに成ります。
それで、以前１．０５８×１０−１０ｍの公転軌道に引き付けられていた電気の光子と磁気の光子は放出する。
【請求項１２】
電子のラブの公転軌道に引き付けられていた電気の光子と磁気の光子は、電子ニュートリノであるとすると、このエネルギーは捕らえられず、なにものをも通過してしまう。陽子のラブの公転軌道に引き付けられていた電気の光子と磁気の光子は、陽子ニュートリノであるとすると、このエネルギーは捕らえられず、なにものをも通過してしまう。
【発明の詳細な説明】
【技術分野】
【０００１】  この発明は、電子と陽子に関する。Ｅ＝ｍｃ２のエネルギーを得る方法に関する。マグマに関する。−２７３℃の場の軌道に関する。オーロラに関する。太陽のコロナに関する。流星に関する。溶鉱炉の鉄に関する。地球ニュートリノに関する。
【背景技術】
【０００２】  従来、電子のエネルギーは、Ｅ＝ｍｃ２のエネルギーであると考えられている。陽子のエネルギーは、Ｅ＝ｍｃ２のエネルギーであると考えられている。
【発明の開示】
電子の場合、Ｅ＝ｍｃ２のエネルギーは電子のラブの公転軌道に引き付けられている電気の光子と磁気の光子のエネルギーである。陽子の場合、Ｅ＝ｍｃ２のエネルギーは陽子のラブの公転軌道に引き付けられている電気の光子と磁気の光子のエネルギーである。
▲１▼もし、電子のラブの公転軌道が拡大するなら、以前電子のラブの公転軌道に引き付けられていた電気の光子と磁気の光子はどのようになるか。
電子のラブのエネルギーは、存在する場のエネルギーによって変化するのであれば、電子のラブを低エネルギーの場に移すと、電子のラブの公転軌道は拡大する。そして、以前電子のラブの公転軌道に引き付けられていた電気の光子と磁気の光子は、電子のラブが無くなり、引くものが無くなるので、放出する。
▲２▼もし、電子のラブの公転軌道が縮小するなら、以前電子のラブの公転軌道に引き付けられていた電気の光子と磁気の光子はどのようになるか。
電子のラブのエネルギーは、存在する場のエネルギーによって変化するのであれば、電子のラブを高エネルギーの場に移すと、電子のラブの公転軌道は縮小する。そして、以前電子のラブの公転軌道に引き付けられていた電気の光子と磁気の光子は、電子のラブが無くなり、引くものが無くなるので、放出する。
▲３▼電子のラブのエネルギーは、存在する場のエネルギーによって変化するのか変化しないのか。
これらの事について、マグマや−２７３℃の空間やオーロラやコロナや流星ではどのようになっているのか論証する。
これらの事について、鉄の溶鉱炉ではどのようになっているのかに論証する。
この事によって、Ｅ＝ｍｃ２のエネルギーを得る事ができる。
【発明が解決しようとする課題】
【０００３】１．高エネルギーを得る方法の原理。
２．高エネルギーを得る方法。電子や陽子を低エネルギーの場に放つ方法。
３．高エネルギーを得る方法。電子や陽子を高エネルギーの場に放つ方法。
４．場のエネルギーが変わると、電子のラブや陽子のラブのエネルギーは変わるのか変わらないのか。マグマの場合はどうであるか。
５．地上の陽子のラブと電子のラブを−２７３℃の空間に放り出す場合はどのようであるか。
６．オーロラの場合はどのようであるか。
７．コロナの場合はどのようであるか。
８．流星の場合はどのようであるか。
９．鉄の溶鉱炉の場合はどのようであるか。
１０．地球ニュートリノはどのようにしてできるか。
１１．Ｅ＝ｍｃ２の高エネルギーを得るためにはどのようにしたら良いか。
１２．電子のラブの公転軌道に引き付けられていた電気の光子と磁気の光子は、電子ニュートリノであるとすると、このエネルギーは捕らえられず、なにものをも通過してしまう。
陽子のラブの公転軌道に引き付けられていた電気の光子と磁気の光子は、陽子ニュートリノであるとすると、このエネルギーは捕らえられず、なにものをも通過してしまう。
【発明を解決する手段】
【０００４】  それでは実際、原子が高エネルギーの場から低エネルギーの場に放り出た時、どのような現象が起きているのかを調べる。マグマの場合は、鉄や岩石が溶ける温度から計算する。
コロナとオーロラの場合は、太陽の外側から飛び出た電子と陽子ですから、太陽の外側の温度から算出する。
それでは実際、原子が低エネルギーの場から高エネルギーの場に放り出た時、どのような現象が起きているのかを調べる。鉄が溶鉱炉に入れられ、溶ける温度から計算する。
【発明の実施態様】
【０００５】１．高エネルギーを得る方法の原理。
電子の場合、Ｅ＝ｍｃ２のエネルギーは電子のラブの公転軌道に引き付けられている電気の光子と磁気の光子のエネルギーである。陽子の場合、Ｅ＝ｍｃ２のエネルギーは陽子のラブの公転軌道に引き付けられている電気の光子と磁気の光子のエネルギーである。
陽子の場合。
陽子をエネルギーの小さな場に放ると陽子のラブの公転軌道は大きくなる、その時、以前陽子のラブの公転軌道に引き付けられていた電気の光子と磁気の光子は、陽子のラブが無くなり、引くものが無くなったので、放出する。この放出した電気の光子と磁気の光子を得る。
陽子をエネルギーの大きな場に放ると陽子のラブの公転軌道は小さくなる、その時、以前陽子のラブの公転軌道に引き付けられていた電気の光子と磁気の光子は、陽子のラブが無くなり、引くものが無くなったので、放出する。この放出した電気の光子と磁気の光子を得る。
電子の場合。
電子をエネルギーの小さな場に放ると電子のラブの公転軌道は大きくなる、その時、以前電子のラブの公転軌道に引き付けられていた電気の光子と磁気の光子は、電子のラブが無くなり、引くものが無くなったので、放出する。この放出した電気の光子と磁気の光子を得る。
電子をエネルギーの大きな場に放ると電子のラブの公転軌道は小さくなる、その時、以前電子のラブの公転軌道に引き付けられていた電気の光子と磁気の光子は、電子のラブが無くなり、引くものが無くなったので、放出する。この放出した電気の光子と磁気の光子を得る。
この場合、公転軌道が離れている事が必要条件です。
瞬時に放つ事が条件です。
２．高エネルギーを得る方法。電子や陽子を低エネルギーの場に放つ方法。
電子や陽子を低エネルギーの場に置くと、電子のラブや陽子のラブの公転軌道が大きくなる。この事によって、以前電子のラブや陽子のラブの公転軌道に引き付けられていた電気の光子や磁気の光子は、電子のラブや陽子のラブが無くなり、引くものが無くなるので、放出する。
電子や陽子を低エネルギーの場に置くと、電子のラブや陽子のラブの公転軌道が大きくなる。この事によって、以前電子のラブや陽子のラブの公転軌道に近い公転軌道を公転していた電気の光子や磁気の光子は、電子のラブが無くなり、引くものが無くなるので、放出する。
この方法では、低エネルギーの場の公転軌道と地上の公転軌道の差が大きい事が必要条件です。
・陽子のラブの場合。
例えば、陽子のラブの公転軌道が５×１０−１４ｍの場は１℃の場であるとすると、−１００℃の場では、陽子のラブの公転軌道は５×１０−１３ｍになる。このとき、以前陽子のラブが公転していた５×１０−１４ｍの公転軌道に引き付けられていた電気の光子や磁気の光子は放出する。５×１０−１４ｍから５×１０−１３ｍの間を回転していた電気の光子や磁気の光子は放出する。
・電子のラブの場合。
例えば、電子のラブの公転軌道が１０−１０ｍの場は１℃の場であるとすると、−１００℃の場では、電子のラブの公転軌道は１０−９ｍになる。このとき、以前電子のラブが公転していた１０−１０ｍの公転軌道に引き付けられていた電気の光子や磁気の光子は放出する。１０−１０ｍから１０−９ｍの間を回転していた電気の光子や磁気の光子は放出する。
３．高エネルギーを得る方法。電子や陽子を高エネルギーの場に放つ方法。
電子や陽子を高エネルギーの場に置くと、電子のラブや陽子のラブの公転軌道が小さくなる。この事によって、以前電子のラブや陽子のラブの公転軌道に引き付けられていた電気の光子や磁気の光子は、電子のラブや陽子のラブが無くなり、引くものが無くなるので、放出する。
電子や陽子を高エネルギーの場に置くと、電子のラブや陽子のラブの公転軌道が小さくなる。この事によって、以前電子のラブや陽子のラブの公転軌道に近い公転軌道を回転していた電気の光子や磁気の光子は、電子のラブや陽子のラブが無くなり、引くものが無くなるので、放出する。
この方法では、高エネルギーの場の公転軌道と地上の公転軌道の差が大きい事が必要条件です。
・陽子のラブの場合。
例えば、陽子のラブの公転軌道が５×１０−１４ｍの場は１℃の場であるとすると、１０００℃の場では、陽子のラブの公転軌道は、５×１０−１４ｍ÷１０００１／２＝５×１０−１４ｍ÷３１．６２３＝１．５８１×１０−１５ｍになる。
このとき、以前陽子のラブが公転していた５×１０−１４ｍの公転軌道に引き付けられていた電気の光子や磁気の光子は、陽子のラブが無くなり、引くものが無くなるので、放出する。
・電子のラブの場合。
例えば、電子のラブの公転軌道が１０−１０ｍの場は１℃の場であるとすると、１０００℃の場では、電子のラブの公転軌道は、１０−１０ｍ÷１０００１／２＝１０−１０ｍ÷３１．６２３＝３．１６２×１０−１２ｍになる。
このとき、以前電子のラブが公転していた１０−１０ｍの公転軌道に引き付けられていた電気の光子や磁気の光子は、電子のラブが無くなり、引くものが無くなるので、放出する。
４．場のエネルギーが変わると、電子のラブや陽子のラブのエネルギーは変わるのか変わらないのか。マグマの場合はどうであるか。
地下からマグマが噴出します。そのマグマは光や熱を放出し、しばらくすると岩石に成ります。
これは、マグマの電子のラブと陽子のラブのエネルギーが光や熱を放出し、地上の電子のラブと陽子のラブのエネルギーと同じになるからです。
電子のラブや陽子のラブのエネルギーは、場のエネルギーによって変化するということです。
この現象を電子のラブの軌道とエネルギーと温度により確認します。
マグマの温度を、鉄が溶け岩石が溶けている温度とします。
鉄の融点は１５３６℃です。珪素の融点は１４１２℃です。
マグマの温度を１６００℃とします。
・陽子のラブの場合。
マグマの陽子のラブの公転軌道は、
５．７６４×１０−１４ｍ÷１６００１／２＝５．７６４×１０−１４ｍ÷４０＝１．４４１×１０−１５ｍです。
マグマの陽子のラブのエネルギーは、
８．６６５×１０−２４Ｊｍ÷（１．４４１×１０−１５ｍ）＝６．０１３×１０−９Ｊです。
マグマの陽子のラブが地上に出て、軌道は、５．７６４×１０−１４ｍに成ります。４０倍に拡大します。
陽子のラブエネルギーは、
８．６６５×１０−２４Ｊｍ÷（５．７６４×１０−１４ｍ）＝１．５０３×１０−１０Ｊに成ります。４０分の１に成ります。
このとき、以前マグマにおいて、陽子のラブが公転していた、１．４４１×１０−１５ｍの公転軌道に引き付けられていた電気の光子や磁気の光子は放出する。１．４４１×１０−１５ｍから５．７６４×１０−１４ｍの間を回転していた電気の光子や磁気の光子は放出する。
この時、光や熱を放出します。
陽子のラブは、低エネルギーの場に放り出ると、光や熱を放出し、自分のエネルギーを低エネルギーにする。
・電子のラブの場合。
マグマの電子のラブの公転軌道は、
１．０５８×１０−１０ｍ÷１６００１／２＝１．０５８×１０−１０ｍ÷４０＝２．６４５×１０−１２ｍです。
マグマの電子のラブのエネルギーは、
８．６６５×１０−２４Ｊｍ÷（２．６４５×１０−１２ｍ）＝３．２７６×１０−１２Ｊです。
マグマの電子のラブが地上に出て、軌道は、１．０５８×１０−１０ｍに成ります。４０倍に拡大します。
エネルギーは、
８．６６５×１０−２４Ｊｍ÷（１．０５８×１０−１０ｍ）＝８．１９×１０−１４Ｊに成ります。４０分の１に成ります。
このとき、以前マグマにおいて、電子のラブが公転していた、２．６４５×１０−１２ｍの公転軌道に引き付けられていた電気の光子や磁気の光子は放出する。２．６４５×１０−１２ｍから１．０５８×１０−１０ｍの間を回転していた電気の光子や磁気の光子は放出する。
この時、光や熱を放出します。
電子のラブは、低エネルギーの場にほうり出ると、光や熱を放出し、自分のエネルギーを低エネルギーにする。
○この事によって、原子の電子のラブと陽子のラブのエネルギーは、存在する場のエネルギーにより変化する事が理解できる。
低エネルギーの場では、電子のラブや陽子のラブも低エネルギーになる。
○この事によって、原子の電子のラブと陽子のラブの軌道は、存在する場のエネルギーにより変化する事が理解できる。
低エネルギーの場では、電子のラブや陽子のラブの軌道は大きくなる。
・放出する温度について。
マグマの電子のラブの場合。
２．６４５×１０−１２ｍの電子のラブの公転軌道に引き付けられている電気の光子と磁気の光子は放出する。
放出した電気の光子でできる温度は、
｛１．０５８×１０−１０ｍ÷（２．６４５×１０−１２ｍ）｝２＝４０２＝１６００（℃）です。
マグマの陽子のラブの場合。
１．４４１×１０−１５ｍの陽子のラブの公転軌道に引き付けられていた電気の光子と磁気の光子は放出する。
放出した電気の光子でできる温度は、
｛５．７６４×１０−１４ｍ÷（１．４４１×１０−１５ｍ）｝２＝４０２＝１６００（℃）です。
５．地上の陽子のラブと電子のラブを−２７３℃の空間に放り出す場合はどのようであるか。
・陽子のラブの場合。
地上で、５．７６４×１０−１４ｍの公転軌道を公転している陽子のラブを、絶対０度である−２７３℃の空間に放り出すと、周囲のエネルギーは−２７３℃になるので、陽子のラブの公転軌道は、
５．７６４×１０−１４ｍ×２７３１／２＝５．７６４×１０−１４ｍ×１６．５２３＝９．５２４×１０−１３ｍになる。
この事によって、５．７６４×１０−１４ｍから９．５２４×１０−１３ｍの陽子のラブの公転軌道の周囲を回転していた電気の光子と磁気の光子は放出する。ガンマ線は放出する。
５．７６４×１０−１４ｍの陽子のラブの公転軌道に引き付けられていた電気の光子と磁気の光子は放出する。
放出した電気の光子でできる温度は、
｛５．７６４×１０−１４ｍ÷（５．７６４×１０−１４ｍ）｝２＝１（℃）です。
・電子のラブの場合。
地上で、１．０５８×１０−１０ｍの公転軌道を公転している電子のラブを、絶対０度である−２７３℃の空間に放り出すと、周囲のエネルギーは−２７３℃になるので、電子のラブの公転軌道は、
１．０５８×１０−１０ｍ×２７３１／２＝１．０５８×１０−１０ｍ×１６．５２３＝１．７４８×１０−９ｍになる。
この事によって、１．０５８×１０−１０ｍから１．７４８×１０−９ｍの電子のラブの公転軌道の周囲を回転していた電気の光子と磁気の光子は放出する。特性Ｘ線は放出する。
１．０５８×１０−１０ｍの電子のラブの公転軌道に引き付けられていた電気の光子と磁気の光子は放出する。
放出した電気の光子でできる温度は、
｛１．０５８×１０−１０ｍ÷（１．０５８×１０−１０ｍ）｝２＝１（℃）です。
６．オーロラの場合はどのようであるか。
太陽の外側の温度は約６０００℃です。
・陽子のラブの場合。
太陽の外側の場の陽子のラブの公転軌道は、
５．７６４×１０−１４ｍ÷６０００１／２＝５．７６４×１０−１４ｍ÷（７．７４６×１０２）＝７．４４×１０−１７ｍです。
この陽子のラブが地球の南極や北極から入ってくると、陽子のラブの公転軌道は、７．４４×１０−１７ｍから５．７６４×１０−１４ｍになり、陽子のラブの周囲を回転していた７．４４×１０−１７ｍから５．７６４×１０−１４ｍの電気の光子と磁気の光子は放出する。
７．４４×１０−１７ｍの陽子のラブの公転軌道に引き付けられていた電気の光子と磁気の光子は放出する。
放出した電気の光子でできる温度は、
｛５．７６４×１０−１４ｍ÷（７．４４×１０−１７ｍ）｝２＝６０００（℃）です。
これらの光子のエネルギーが減少し、オーロラとなって認識される。
・電子のラブの場合。
太陽の外側の電子のラブの公転軌道は、
１．０５８×１０−１０ｍ÷６０００１／２＝１．０５８×１０−１０ｍ÷（７．７４６×１０２）＝１．３６６×１０−１３ｍです。
この電子のラブが地球の南極や北極から入ってくると、電子のラブの公転軌道は、１．３６６×１０−１３ｍから１．０５８×１０−１０ｍになり、電子のラブの周囲を公転していた１．３６６×１０−１３ｍから１．０５８×１０−１０ｍの電気の光子と磁気の光子は放出する。
１．３６６×１０−１３ｍの電子のラブの公転軌道に引き付けられていた電気の光子と磁気の光子は放出する。
放出した電気の光子でできる温度は、
｛１．０５８×１０−１０ｍ÷（１．３６６×１０−１３ｍ）｝２＝６０００（℃）です。
これらの光子のエネルギーが減少し、オーロラとなって認識される。
７．コロナの場合はどのようであるか。
・陽子のラブの場合。
太陽の外側の陽子が−２７３℃の空間にでると、陽子のラブの公転軌道は、７．４４×１０−１７ｍから９．５２４×１０−１３ｍになる。
このとき、陽子のラブの公転軌道の周囲を回転していた、７．４４×１０−１７ｍから９．５２４×１０−１３ｍの電気の光子と磁気の光子は放出する。これがコロナです。
７．４４×１０−１７ｍの陽子のラブの公転軌道に引き付けられていた電気の光子と磁気の光子は放出する。
放出した電気の光子でできる温度は、
｛５．７６４×１０−１４ｍ÷（７．４４×１０−１７ｍ）｝２＝（７．７４７×１０２）２＝６×１０５℃です。
・電子のラブの場合。
太陽の外側の電子が−２７３℃の空間にでると、電子のラブの公転軌道は、１．３６６×１０−１３ｍから１．７４８×１０−９ｍになる。
このとき、電子のラブの公転軌道の周囲を回転していた、１．３６６×１０−１３ｍから１．７４８×１０−９ｍの電気の光子と磁気の光子は放出する。これがコロナです。
１．３６６×１０−１３ｍの電子のラブの公転軌道に引き付けられていた電気の光子と磁気の光子は放出する。
放出した電気の光子でできる温度は、
｛１．０５８×１０−１０ｍ÷（１．３６６×１０−１３ｍ）｝２＝（７．７４５×１０２）２＝５．９９９×１０５℃です。
８．流星の場合はどのようであるか。
流星はどうして尾をひいて走るのか。流星の尾は何か。
隕石は流星が大気中で燃えきらずに、地上に落ちた物です。
流星は石です。石の電子のラブと陽子のラブは回転し、電気の光子と磁気の光子を作ります。この電気の光子と磁気の光子が流星の尾に成ります。この電気の光子と磁気の光子が可視光として目に届きます。
・電子のラブの場合。
石の電子のラブの公転軌道は約１０−１０ｍです。石の外側で、−２７３℃の場に接する部分は、公転軌道を拡大し、エネルギーを減少させます。
−２７３℃の場で、電子のラブの公転軌道は、
１．０５８×１０−１０ｍ×２７３１／２＝１．０５８×１０−１０ｍ×１６．５２３＝１．７４８×１０−９ｍに成ります。
秒速は、１．７４８×１０−９ｍ×３．１４×６．３３６×１０１５公転＝３．４７８×１０７ｍになり、直進します。
−２７３℃の場では、流星の石の外側の部分の電子のラブは、公転軌道が１．７４８×１０−９ｍに成り、秒速は３．４７８×１０７ｍになり、走り出す。
このとき、電子のラブの公転軌道の周囲を回転していた、１０−１０ｍから１．７４８×１０−９ｍの電気の光子と磁気の光子は放出する。これが流星の尾に成ります。
・陽子のラブの場合。
陽子のラブの公転軌道は、
５．７６４×１０−１４ｍ×１６．５２３＝９．５２４×１０−１３ｍになります。
秒速は、９．５２４×１０−１３ｍ×３．１４×４．３４×７．９６×１０７公転＝１．０３３×１０ｍです。
それで、陽子のラブはそのままそこに残る。
このとき、陽子のラブの公転軌道の周囲を回転していた、５．７６４×１０−１４ｍから９．５２４×１０−１３ｍの電気の光子と磁気の光子は放出する。これが流星の尾に成ります。
９．溶鉱炉の鉄の場合はどのようであるか。
鉄の溶鉱炉の温度を１６００℃とする。
・陽子のラブの場合。
１６００℃の場で、鉄の陽子のラブの軌道は、５．７６４×１０−１４ｍ÷１６００１／２＝１．４４１×１０−１５ｍです。
鉄を溶鉱炉に入れると、鉄の陽子のラブの公転軌道は、５．７６４×１０−１４ｍから、１．４４１×１０−１５ｍに成り、５．７６４×１０−１４ｍの陽子のラブの公転軌道に引き付けられていた電気の光子と磁気の光子は放出する。
・電子のラブの場合。
１６００℃の場で、鉄の電子のラブの軌道は、１．０５８×１０−１０ｍ÷１６００１／２＝２．６４５×１０−１２ｍです。
鉄を溶鉱炉に入れると、鉄の電子のラブの公転軌道は、１．０５８×１０−１０ｍから、２．６４５×１０−１２ｍに成り、１．０５８×１０−１０ｍの電子のラブの公転軌道に引き付けられていた電気の光子と磁気の光子は放出する。
地球の中でできるニュートリノはこれかもしれない。
１０．地球ニュートリノはどのようにしてできるか。
地球の中央は、６５００Ｋｍで、温度は、７３２７℃です。
この場の電子のラブの公転軌道は、１．０５８×１０−１０ｍ÷６５００１／２＝１．０５８×１０−１０ｍ÷８５．６＝１．２３６×１０−１２ｍです。
地球の深さ、６０００Ｋｍで、温度は、６０００℃です。
この場の電子のラブの軌道は、１．０５８×１０−１０ｍ÷６０００１／２＝１．０５８×１０−１０ｍ÷７７．４６＝１．３６６×１０−１２ｍです。
地球の深さ、６５００Ｋｍで、ニュートリノができるとすると、１．３６６×１０−１２ｍの電子のラブの公転軌道に引き付けられていた電気の光子と磁気の光子は放出する。
地球の深さ、５０００Ｋｍで、温度は、５０００℃です。
この場の電子のラブの軌道は、１．０５８×１０−１０ｍ÷５０００１／２＝１．０５８×１０−１０ｍ÷７０．７１＝１．４９６×１０−１２ｍです。
地球の深さ、６０００Ｋｍで、ニュートリノができるとすると、１．４９６×１０−１２ｍの電子のラブの公転軌道に引き付けられていた電気の光子と磁気の光子は放出する。
しかし、
○電子のラブの公転軌道が、１．２３６×１０−１２ｍと１．３６６×１０−１２ｍと１．４９６×１０−１２ｍでは、軌道の大きさが同じ位なので、電子のラブの公転軌道に引き付けられていた電気の光子と磁気の光子は放出しない。
○公転軌道が離れている場合、ラブの公転軌道に引き付けられていた電気の光子と磁気の光子は放出する。
○ラブの公転軌道に引き付けられていた電気の光子と磁気の光子が放出するための必要条件は、電子のラブや陽子のラブを放つ場の公転軌道の差が大きいことです。
それで、地球のニュートリノは、鉄が融解する場でできたと考えられる。
１１．Ｅ＝ｍｃ２の高エネルギーを得るためにはどのようにしたら良いか。
高エネルギー加速器で、陽子を加速し、鉄板にぶつけると、Ｅ＝ｍｃ２の高エネルギーを放出する。この高エネルギーは、陽子のラブの公転軌道に引き付けられている電気の光子と磁気の光子のエネルギーです。この光子のエネルギーを得るためにはどのようにしたら良いか。
▲１▼陽子のラブの公転軌道を拡大したら良い。
陽子のラブの公転軌道を拡大する方法はどのようにするか。
陽子のラブを低エネルギーの場に放り出す。そうすると、陽子のラブの公転軌道は拡大する。それで、以前の公転軌道に引き付けられていた電気の光子と磁気の光子は放出する。
・陽子のラブの場合。
地上の陽子のラブの公転軌道を５．７６４×１０−１４ｍとし、温度を１℃とします。
例えば、地上の陽子を、−２００℃の場に放り出すと、陽子のラブの公転軌道は、
５．７６４×１０−１４ｍ×２００１／２＝５．７６４×１０−１４ｍ×１４．１４２＝８．１５１×１０−１３ｍに成ります。
このとき、陽子のラブの公転軌道の周囲を回転していた、５．７６４×１０−１４ｍから８．１５１×１０−１３ｍの電気の光子と磁気の光子は放出する。
５．７６４×１０−１４ｍの陽子のラブの公転軌道に引き付けられていた電気の光子と磁気の光子は放出する。
・電子のラブの場合。
地上の電子のラブの公転軌道を１．０５８×１０−１０ｍとし、温度を１℃とします。
例えば、地上の電子を、−２００℃の場に放り出すと、電子のラブの公転軌道は、
１．０５８×１０−１０ｍ×２００１／２＝１．０５８×１０−１０ｍ×１４．１４２＝１．４９６×１０−９ｍに成ります。
このとき、電子のラブの公転軌道の周囲を回転していた、１．０５８×１０−１０ｍから１．４９６×１０−９ｍの電気の光子と磁気の光子は放出する。
１．０５８×１０−１０ｍの公転軌道に引き付けられていた電気の光子と磁気の光子は放出する。
▲２▼陽子のラブの公転軌道を縮小したら良い。
陽子のラブの公転軌道を縮小する方法はどのようにするか。
陽子のラブを高エネルギーの場に放り出す。そうすると、陽子のラブの公転軌道は縮小する。それで、以前の公転軌道に引き付けられていた電気の光子と磁気の光子は放出する。
・陽子のラブの場合。
地上の陽子のラブの公転軌道を５．７６４×１０−１４ｍとし、温度を１℃とします。
例えば、地上の陽子を、１０００℃の場に放り出すと、陽子のラブの公転軌道は、
５．７６４×１０−１４ｍ÷１０００１／２＝６．７６４×１０−１４ｍ÷３１．６２３＝１．８２３×１０−１５ｍに成ります。
それで、以前５．７６４×１０−１４ｍの陽子のラブの公転軌道に引き付けられていた電気の光子と磁気の光子は放出する。
・電子のラブの場合。
地上の電子のラブの公転軌道を１．０５８×１０−１０ｍとし、温度を１℃とします。
例えば、地上の電子を、１０００℃の場に放り出すと、電子のラブの公転軌道は、
１．０５８×１０−１０ｍ÷１０００１／２＝１．０５８×１０−１０ｍ÷３１．６２３＝３．３４６×１０−１２ｍに成ります。
それで、以前１．０５８×１０−１０ｍの公転軌道に引き付けられていた電気の光子と磁気の光子は放出する。
１２．電子のラブの公転軌道に引き付けられていた電気の光子と磁気の光子は、電子ニュートリノであるとすると、このエネルギーは捕らえられず、なにものをも通過してしまう。陽子のラブの公転軌道に引き付けられていた電気の光子と磁気の光子は、陽子ニュートリノであるとすると、このエネルギーは捕らえられず、なにものをも通過してしまう。
【発明の効果】
【０００６】１．マグマが光と熱を放出し、岩石になることから、原子の電子のラブと陽子のラブは自分のエネルギーをその場のエネルギーに合わせる事が理解できた。その時放出するエネルギーは以前の公転軌道のエネルギーである事が理解できた。
２．地上の陽子のラブと電子のラブを−２７３℃の空間に放り出す場合、周囲のエネルギーは−２７３℃になるので、陽子のラブの公転軌道は、９．５２４×１０−１３ｍになる。
この事によって、地上で５．７６４×１０−１４ｍから９．５２４×１０−１３ｍの陽子のラブの公転軌道の周囲を公転していた電気の光子と磁気の光子は放出する。ガンマ線は放出する。
３．オーロラは、太陽の外側の電子のラブや陽子のラブが北極や南極にたどりついたとき、電子のラブや陽子のラブの公転軌道を大きくしたので、以前電子のラブや陽子のラブの公転軌道に引き付けられていた電子の光子や磁気の光子が放出し、できた高エネルギーの光子によってできた。
４．太陽のコロナの温度は、太陽の外側の電子のラブが、−２７３℃の場に放り出て、自分のエネルギーを減少させ、公転軌道を拡大した事によって、以前電子のラブの公転軌道に引き付けられていた電気の光子が放出し、熱エネルギーになり、できた温度であることが理解できた。
５．流星は石です。石の電子のラブと陽子のラブは回転し、電気の光子と磁気の光子を作ります。この電気の光子と磁気の光子が流星の尾に成ります。この電気の光子と磁気の光子が可視光として目に届きます。
−２７３℃の場では、流星の石の外側の部分の電子のラブは、公転軌道が１．７４８×１０−９ｍに成り、秒速は３．４７８×１０７ｍになり、走り出す。
このとき、電子のラブの公転軌道の周囲を公転していた、１．０６８×１０−１０ｍから１．７４８×１０−９ｍの電気の光子と磁気の光子を放出する。これが流星の尾に成ります。
６．鉄を溶鉱炉に入れると、鉄の電子のラブの公転軌道は、１．０５８×１０−１０ｍから、２．６４５×１０−１２ｍに成り、１．０５８×１０−１０ｍの電子のラブの公転軌道に引き付けられていた電気の光子と磁気の光子は放出する。
地球の中でできるニュートリノはこれかもしれない。
７．電子のラブの公転軌道に引き付けられている電気の光子と磁気の光子のエネルギー（Ｅ＝ｍｃ２）を得る方法は、−１００℃や−２００℃等の低温の場に陽子のラブを放り出すことです。
８．電子のラブの公転軌道に引き付けられている電気の光子と磁気の光子のエネルギー（Ｅ＝ｍｃ２）を得る方法は、１０００℃等の高温の場に陽子のラブを放り出すことです。
９．電子のラブの公転軌道に引き付けられていた電気の光子と磁気の光子は、電子ニュートリノであるとすると、このエネルギーは捕らえられず、なにものをも通過してしまう。
陽子のラブの公転軌道に引き付けられていた電気の光子と磁気の光子は、陽子ニュートリノであるとすると、このエネルギーは捕らえられず、なにものをも通過してしまう。
【図面の簡単な説明】
【０００７】
【図１】マグマの場合。以前マグマにおいて、陽子のラブが公転していた、１．４４１×１０−１５ｍの公転軌道に引き付けられていた電気の光子や磁気の光子は放出する。１．４４１×１０−１５ｍから５．７６４×１０−１４ｍの間を公転していた電気の光子や磁気の光子は放出する。この時、光や熱を放出します。以前マグマにおいて、電子のラブが公転していた、２．６４５×１０−１２ｍの公転軌道に引き付けられていた電気の光子や磁気の光子は放出する。２．６４５×１０−１２ｍから１．０５８×１０−１０ｍの間を公転していた電気の光子や磁気の光子は放出する。この時、光や熱を放出します。
【図２】−２７３℃の空間に放り出す場合。地上で、５．７６４×１０−１４ｍの公転軌道を公転している陽子のラブを、絶対０度である−２７３℃の空間に放り出すと、陽子のラブの公転軌道は、９．５２４×１０−１３ｍになる。この事によって、５．７６４×１０−１４ｍから９．５２４×１０−１３ｍの陽子のラブの公転軌道の周囲を公転していた電気の光子と磁気の光子は放出する。ガンマ線は放出する。電子のラブの公転軌道は、１．７４８×１０−９ｍになる。この事によって、１．０５８×１０−１０ｍから１．７４８×１０−９ｍの電子のラブの公転軌道の周囲を公転していた電気の光子と磁気の光子は放出する。特性Ｘ線は放出する。
【図３】オーロラの場合。太陽の外側の場の陽子のラブの公転軌道は、７．４４×１０−１７ｍです。この陽子のラブが地球の南極や北極から入ってくると、陽子のラブの公転軌道は、７．４４×１０−１７ｍから５．７６４×１０−１４ｍになり、陽子のラブの周囲を公転していた７．４４×１０−１７ｍから５．７６４×１０−１４ｍの電気の光子と磁気の光子は放出する。太陽の外側の電子のラブの公転軌道は、１．３６６×１０−１３ｍです。この電子のラブが地球の南極や北極から入ってくると、電子のラブの公転軌道は、１．３６６×１０−１３ｍから１．０５８×１０−１０ｍになり、電子のラブの周囲を公転していた１．３６６×１０−１３ｍから１．０５８×１０−１０ｍの電気の光子と磁気の光子は放出する。これらの光子のエネルギーが減少し、オーロラとなって認識される。
【図４】太陽のコロナの場合。太陽の外側の陽子のラブが−２７３℃の空間にでると、陽子のラブの公転軌道は、７．４４×１０−１７ｍから９．５２４×１０−１３ｍになる。このとき、陽子のラブの公転軌道の周囲を公転していた、７．４４×１０−１７ｍから９．５２４×１０−１３ｍの電気の光子と磁気の光子は放出する。これがコロナです。放出した電気の光子でできる温度は、｛５．７６４×１０−１４ｍ÷（７．４４×１０−１７ｍ）｝２＝（７．７４７×１０２）２＝６×１０５℃です。電子のラブの公転軌道は、１．３６６×１０−１３ｍから１．７４８×１０−９ｍになる。このとき、電子のラブの公転軌道の周囲を公転していた、１．３６６×１０−１３ｍから１．７４８×１０−９ｍの電気の光子と磁気の光子は放出する。これがコロナです。放出した電気の光子でできる温度は、｛１．０５８×１０−１０ｍ÷（１．３６６×１０−１３ｍ）｝２＝（７．７４５×１０２）２＝５．９９９×１０５℃です。
【図５】流星の場合。流星の石の電子のラブの公転軌道は約１０−１０ｍです。−２７３℃の場では、流星の石の外側の部分の電子のラブは、公転軌道が１．７４８×１０−９ｍに成り、秒速は３．４７８×１０７ｍになり、走り出す。このとき、電子のラブの公転軌道の周囲を公転していた１０−１０ｍから１．７４８×１０−９ｍの電気の光子と磁気の光子は放出する。これが流星の尾です。陽子のラブの公転軌道は、９．５２４×１０−１３ｍになり、秒速は、１．０３３×１０ｍです。それで、陽子のラブはそのままそこに残る。このとき、陽子のラブの公転軌道の周囲を公転していた、５．７６４×１０−１４ｍから９．５２４×１０−１３ｍの電気の光子と磁気の光子は放出する。これが流星の尾です。
【図６】溶鉱炉の鉄の場合。１６００℃の場で、鉄の陽子のラブの軌道は、１．４４１×１０−１５ｍです。鉄を溶鉱炉に入れると、鉄の陽子のラブの公転軌道は、５．７６４×１０−１４ｍから、１．４４１×１０−１５ｍに成り、５．７６４×１０−１４ｍの陽子のラブの公転軌道に引き付けられていた電気の光子と磁気の光子は放出する。１６００℃の場で、鉄の電子のラブの公転軌道は、２．６４５×１０−１２ｍです。鉄を溶鉱炉に入れると、鉄の電子のラブの公転軌道は、１．０５８×１０−１０ｍから、２．６４５×１０−１２ｍに成り、１．０５８×１０−１０ｍの電子のラブの公転軌道に引き付けられていた電気の光子と磁気の光子は放出する。地球の中でできるニュートリノはこれかもしれない。
【符号の説明】
【０００８】１  陽子のラブ
２  電子のラブ
３  ラブの公転軌道に引き付けられていた電気の光子と磁気の光子
３  マグマの陽子のラブの軌道は、１．４４１×１０−１５ｍ
４  地上の陽子のラブの軌道は、５．７６４×１０−１４ｍ
５  マグマの電子のラブの軌道は、２．６４５×１０−１２ｍ
６  地上の電子のラブの軌道は、１．０５８×１０−１０ｍ
７  −２７３℃の空間の陽子のラブの公転軌道は、９．５２４×１０−１３ｍ
８  −２７３℃の空間の電子のラブの公転軌道は、１．７４８×１０−９ｍ
９  太陽の外側の場の陽子のラブの公転軌道は、７．４４×１０−１７ｍ
１０  太陽の外側の電子のラブの公転軌道は、１．３６６×１０−１３ｍ
１１  流星の石の電子のラブの公転軌道は約１０−１０ｍ
１２  溶鉱炉の中の鉄の陽子のラブの公転軌道は、１．４４１×１０−１５ｍ
１３  溶鉱炉の中の鉄の電子のラブの公転軌道は、２．６４５×１０−１２ｍ
【図１】
2008228553.tif 000003
【図２】
2008228553.tif 000004
【図３】
2008228553.tif 000005
【図４】
2008228553.tif 000006
【図５】
2008228553.tif 000007
【図６】
2008228553.tif 000008
【手続補正書】
【提出日】平成19年3月20日(2007.3.20)
【手続補正１】
【補正対象書類名】明細書
【補正対象項目名】０００８
【補正方法】変更
【補正の内容】
【０００８】１  陽子のラブ２  電子のラブ３  ラブの公転軌道に引き付けられていた電気の光子と磁気の光子４  マグマの陽子のラブの軌道は、１．４４１×１０−１５ｍ５  地上の陽子のラブの軌道は、５．７６４×１０−１４ｍ６  マグマの電子のラブの軌道は、２．６４５×１０−１２ｍ７  地上の電子のラブの軌道は、１．０５８×１０−１０ｍ８  −２７３℃の空間の陽子のラブの公転軌道は、９．５２４×１０−１３ｍ９  −２７３℃の空間の電子のラブの公転軌道は、１．７４８×１０−９ｍ１０  太陽の外側の場の陽子のラブの公転軌道は、７．４４×１０−１７ｍ１１  太陽の外側の電子のラブの公転軌道は、１．３６６×１０−１３ｍ１２  流星の石の電子のラブの公転軌道は約１０−１０ｍ１３  溶鉱炉の中の鉄の陽子のラブの公転軌道は、１．４４１×１０−１５ｍ１４  溶鉱炉の中の鉄の電子のラブの公転軌道は、２．６４５×１０−１２ｍ
【手続補正２】
【補正対象書類名】図面
【補正対象項目名】図６
【補正方法】変更
【補正の内容】
【図６】
2008228553.tif 000009